【手続補正書】
【提出日】平成21年6月25日(2009.6.25)
【手続補正１】
【補正対象書類名】特許請求の範囲
【補正対象項目名】全文
【補正方法】変更
【補正の内容】
【特許請求の範囲】
【請求項１】
島に設置される外枠と、該外枠に開閉自在に軸支され且つ遊技盤を収納するための側面壁を有する本体枠と、該本体枠に開閉自在に軸支され且つ前記遊技盤の遊技領域を遊技者が透明板ユニットを介して視認し得る遊技窓と遊技の結果によって払出される球を貯留する貯留皿が前記遊技窓の下方に配置される扉枠と、を備えたパチンコ遊技機において、
前記透明板ユニットは、前記遊技窓よりも大きな窓開口を有する環状のユニット枠と、該ユニット枠の前記窓開口の外周前後面に接着される２枚の透明板と、からなり、
前記環状のユニット枠には、内部に乾燥剤を封入する乾燥剤封入空間部が環状の外部に突出するように一体的に形成されると共に、該乾燥剤封入空間部と前記窓開口の外周前後面に前記２枚の透明板を接着したときに形成される密閉空間と連通する開口部が環状の内周面に形成され、
前記乾燥剤封入空間部の外部に突出した部分に、該乾燥剤封入空間部と外部とが連通する空気穴が形成されると共に、該空気穴の外部側の開口部が、外部に向かって開放する截頭錐体形状に形成され、
前記開口部から前記乾燥剤封入空間部に前記乾燥剤を挿入した状態で、前記ユニット枠の内周面側から前記開口部を開閉蓋で閉塞し、さらに前記窓開口の外周前後面に２枚の透明板を接着した後に、前記空気穴を閉塞したことを特徴とするパチンコ遊技機。
【請求項２】
前記開閉蓋に複数の通気孔が形成されていることを特徴とする請求項１記載のパチンコ遊技機。
【請求項３】
前記乾燥剤封入空間部は、前記環状のユニット枠の上下左右部を除く斜め左右上下部のいずれかの部位に環状の外部に突出するように形成されることを特徴とする請求項１又は請求項２記載のパチンコ遊技機。
【請求項４】
前記環状のユニット枠には、その斜め上部左右に前記扉枠の裏面に形成される位置決め突起に位置決めされると共に止めレバーによって固定される位置決め穴を有する止め片が環状の外部に突出するように形成されている一方、その下辺左右に前記扉枠の裏面に形成される掛止凹部に挿入係合される掛止突片が環状の外部に突出するように形成されていることを特徴とする請求項１乃至請求項３のいずれかに記載のパチンコ遊技機。
【手続補正２】
【補正対象書類名】明細書
【補正対象項目名】０００５
【補正方法】変更
【補正の内容】
【０００５】
上記目的を達成するために、請求項１が採用した手段は、島に設置される外枠と、該外枠に開閉自在に軸支され且つ遊技盤を収納するための側面壁を有する本体枠と、該本体枠に開閉自在に軸支され且つ前記遊技盤の遊技領域を遊技者が透明板ユニットを介して視認し得る遊技窓と遊技の結果によって払出される球を貯留する貯留皿が前記遊技窓の下方に配置される扉枠と、を備えたパチンコ遊技機において、前記透明板ユニットは、前記遊技窓よりも大きな窓開口を有する環状のユニット枠と、該ユニット枠の前記窓開口の外周前後面に接着される２枚の透明板と、からなり、前記環状のユニット枠には、内部に乾燥剤を封入する乾燥剤封入空間部が環状の外部に突出するように一体的に形成されると共に、該乾燥剤封入空間部と前記窓開口の外周前後面に前記２枚の透明板を接着したときに形成される密閉空間と連通する開口部が環状の内周面に形成され、前記乾燥剤封入空間部の外部に突出した部分に、該乾燥剤封入空間部と外部とが連通する空気穴が形成されると共に、該空気穴の外部側の開口部が、外部に向かって開放する截頭錐体形状に形成され、前記開口部から前記乾燥剤封入空間部に前記乾燥剤を挿入した状態で、前記ユニット枠の内周面側から前記開口部を開閉蓋で閉塞し、さらに前記窓開口の外周前後面に２枚の透明板を接着した後に、前記空気穴を閉塞したことを特徴とする。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
また、請求項３が採用した手段は、請求項１又は請求項２記載のパチンコ遊技機において、前記乾燥剤封入空間部は、前記環状のユニット枠の上下左右部を除く斜め左右上下部のいずれかの部位に環状の外部に突出するように形成されることを特徴とする。
【手続補正５】
【補正対象書類名】明細書
【補正対象項目名】０００９
【補正方法】変更
【補正の内容】
【０００９】
更に、請求項４が採用した手段は、請求項１乃至請求項３のいずれかに記載のパチンコ遊技機において、前記環状のユニット枠には、その斜め上部左右に前記扉枠の裏面に形成される位置決め突起に位置決めされると共に止めレバーによって固定される位置決め穴を有する止め片が環状の外部に突出するように形成されている一方、その下辺左右に前記扉枠の裏面に形成される掛止凹部に挿入係合される掛止突片が環状の外部に突出するように形成されていることを特徴とする。
【手続補正６】
【補正対象書類名】明細書
【補正対象項目名】００１０
【補正方法】変更
【補正の内容】
【００１０】
請求項１に係る発明においては、予め乾燥剤封入空間部に乾燥剤を封入して開閉蓋で開口部を閉塞したユニット枠の前後面に透明板を接着する密閉作業を完了するだけで、乾燥剤封入空間部の周囲を改めて密封する作業を施す必要はない。そして、この場合、乾燥剤封入空間部が環状のユニット枠の外部に突出するように一体的に形成されているので、特殊な形状の透明板を用意する必要はなく、極めて汎用性の高い透明板ユニットを提供することができる。また、ユニット枠に２枚の透明板を接着する際に、２枚の透明板によって形成される密閉空間内に存在する空気を乾燥剤封入空間部及び空気穴を介して外部に導くことができるので、透明板の接着をスムーズに行うことができ、また、透明板の接着後において、乾燥剤封入空間部と２枚の透明板によって形成される密閉空間とを完全に密封するためには、空気穴を閉塞するだけの簡単な作業で終了することができる。
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】変更
【補正の内容】
【００１３】
また、請求項３に係る発明においては、乾燥剤封入空間部は、環状のユニット枠の上下左右部を除く斜め左右上下部のいずれかの部位に環状の外部に突出するように形成されることにより、一般的に円形状に形成される遊技窓の斜め左右上下部の遊技窓として利用されない領域に乾燥剤封入空間部を配置することができ、結果的に遊技窓を大きく形成することができる。
【手続補正９】
【補正対象書類名】明細書
【補正対象項目名】００１４
【補正方法】変更
【補正の内容】
【００１４】
更に、請求項４に係る発明においては、透明板ユニットを扉枠に取り付ける際に、ユニット枠の下辺左右に形成される掛止突片を扉枠の掛止凹部に差し込み、その後、ユニット枠の斜め上部左右に形成される止め片の位置決め穴を扉枠の位置決め突起に係合してレバーを回動するだけの簡単な作業によって取り付けることができる。
【手続補正１０】
【補正対象書類名】明細書
【補正対象項目名】０１６４
【補正方法】変更
【補正の内容】
【０１６４】
基板ユニット６５０は、本体枠３の裏面下部に複数形成されるトレイ用の取付穴部１７５（図２６，図２８参照）に取り付けられるものであり、図７２及び図７３に示すように、合成樹脂成形された基板トレイ６５１に、扉中継基板６５２、電源基板ボックス６５３、端子基板ボックス６５４、払出制御基板ボックス６５５、主ドロワ中継基板６５７、及び副ドロワ中継基板６５８の各種基板を取り付けることにより構成されている。上記の基板のうち、扉中継基板６５２、電源基板ボックス６５３、端子基板ボックス６５４、及び払出制御基板ボックス６５５は、基板トレイ６５１の後面側に前後方向に重複して取り付けられ、主ドロワ中継基板６５７及び副ドロワ中継基板６５８は、基板トレイ６５１の前面側に取り付けられるものである。なお、払出制御基板ボックス６５５の裏面には、電源基板等からの電磁波の影響を防止するためにシールド板６５６が取り付けられ、また、主ドロワ中継基板６５７及び副ドロワ中継基板６５８は、基板カバー６５９に被覆されて取り付けられている。以下、基板ユニット６５０を構成する各部材について詳細に説明する。